【手続補正書】
【提出日】平成18年11月8日(2006.11.8)
【手続補正１】
【補正対象書類名】明細書
【補正対象項目名】発明の名称
【補正方法】変更
【補正の内容】
【発明の名称】画像表示装置、電子機器
【手続補正２】
【補正対象書類名】特許請求の範囲
【補正対象項目名】全文
【補正方法】変更
【補正の内容】
【特許請求の範囲】
【請求項１】
表示領域と検査領域を有し、
前記表示領域は、第１の画素回路を有し、
前記検査領域は、第２の画素回路を有し、
前記第１の画素回路は、第１のスイッチング用トランジスタ、第１の駆動用トランジスタ及び発光素子を有し、
前記第２の画素回路は、第２のスイッチング用トランジスタと、第２の駆動用トランジスタを有し、
前記第１のスイッチング用トランジスタのゲートは、第１の走査線に電気的に接続され、
前記第１のスイッチング用トランジスタのソース又はドレインの一方は、データ信号線に電気的に接続され、
前記第１のスイッチング用トランジスタのソース又はドレインの他方は、前記第１の駆動用トランジスタのゲートに電気的に接続され、
前記第２のスイッチング用トランジスタのゲートは、第２の走査線に電気的に接続され、
前記第２のスイッチング用トランジスタのソース又はドレインの一方は、前記データ信号線に電気的に接続され、
前記第２のスイッチング用トランジスタのソース又はドレインの他方は、前記第２の駆動用トランジスタのゲートに電気的に接続され、
前記第１の駆動用トランジスタのソース又はドレインの一方は、電流供給線に電気的に接続され、
前記第１の駆動用トランジスタのソース又はドレインの他方は、前記発光素子に電気的に接続され、
前記第２の駆動用トランジスタのソース又はドレインの一方は、前記電流供給線に電気的に接続され、
前記第２の駆動用トランジスタのソース又はドレインの他方は、検査出力端子に電気的に接続されていることを特徴とする画像表示装置。
【請求項２】
表示領域、検査領域及びソース駆動回路を有し、
前記表示領域は、第１の画素回路を有し、
前記検査領域は、第２の画素回路を有し、
前記第１の画素回路は、第１のスイッチング用トランジスタ、第１の駆動用トランジスタ及び発光素子を有し、
前記第２の画素回路は、第２のスイッチング用トランジスタと、第２の駆動用トランジスタを有し、
前記第１のスイッチング用トランジスタのゲートは、第１の走査線に電気的に接続され、
前記第１のスイッチング用トランジスタのソース又はドレインの一方は、データ信号線に電気的に接続され、
前記第１のスイッチング用トランジスタのソース又はドレインの他方は、前記第１の駆動用トランジスタのゲートに電気的に接続され、
前記第２のスイッチング用トランジスタのゲートは、第２の走査線に電気的に接続され、
前記第２のスイッチング用トランジスタのソース又はドレインの一方は、前記データ信号線に電気的に接続され、
前記第２のスイッチング用トランジスタのソース又はドレインの他方は、前記第２の駆動用トランジスタのゲートに電気的に接続され、
前記第１の駆動用トランジスタのソース又はドレインの一方は、電流供給線に電気的に接続され、
前記第１の駆動用トランジスタのソース又はドレインの他方は、前記発光素子に電気的に接続され、
前記第２の駆動用トランジスタのソース又はドレインの一方は、前記電流供給線に電気的に接続され、
前記第２の駆動用トランジスタのソース又はドレインの他方は、検査出力端子に電気的に接続され、
前記ソース駆動回路は、前記データ信号線に電気的に接続され、
前記ソース駆動回路から前記データ信号線に映像信号が供給され、前記映像信号と前記検査出力端子から出力される信号を比較することにより、前記データ信号線を検査することを特徴とする画像表示装置。
【請求項３】
表示領域と検査領域を有し、
前記表示領域は、第１の画素回路と第２の画素回路を有し、
前記検査領域は、第３の画素回路と第４の画素回路を有し、
前記第１の画素回路は、第１のスイッチング用トランジスタ、第１の駆動用トランジスタ及び第１の発光素子を有し、
前記第２の画素回路は、第２のスイッチング用トランジスタ、第２の駆動用トランジスタ及び第２の発光素子を有し、
前記第３の画素回路は、第３のスイッチング用トランジスタを有し、
前記第４の画素回路は、第４のスイッチング用トランジスタを有し、
前記第１のスイッチング用トランジスタのゲートは、第１の走査線に電気的に接続され、
前記第１のスイッチング用トランジスタのソース又はドレインの一方は、第１のデータ信号線に電気的に接続され、
前記第１のスイッチング用トランジスタのソース又はドレインの他方は、前記第１の駆動用トランジスタのゲートに電気的に接続され、
前記第１の駆動用トランジスタのソース又はドレインの一方は、第１の電流供給線に電気的に接続され、
前記第１の駆動用トランジスタのソース又はドレインの他方は、前記第１の発光素子に電気的に接続され、
前記第２のスイッチング用トランジスタのゲートは、第２の走査線に電気的に接続され、
前記第２のスイッチング用トランジスタのソース又はドレインの一方は、第２のデータ信号線に電気的に接続され、
前記第２のスイッチング用トランジスタのソース又はドレインの他方は、前記第２の駆動用トランジスタのゲートに電気的に接続され、
前記第２の駆動用トランジスタのソース又はドレインの一方は、第２の電流供給線に電気的に接続され、
前記第２の駆動用トランジスタのソース又はドレインの他方は、前記第２の発光素子に電気的に接続され、
前記第３のスイッチング用トランジスタのゲートは、前記第１の走査線に電気的に接続され、
前記第３のスイッチング用トランジスタのソース又はドレインの一方は、一定の電位に保たれており、
前記第３のスイッチング用トランジスタのソース又はドレインの他方は、第１の検査出力端子に電気的に接続され、
前記第４のスイッチング用トランジスタのゲートは、前記第２の走査線に電気的に接続され、
前記第４のスイッチング用トランジスタのソース又はドレインの一方は、一定の電位に保たれており、
前記第４のスイッチング用トランジスタのソース又はドレインの他方は、第２の検査出力端子に電気的に接続されていることを特徴とする画像表示装置。
【請求項４】
表示領域、検査領域及びゲート駆動回路を有し、
前記表示領域は、第１の画素回路と第２の画素回路を有し、
前記検査領域は、第３の画素回路と第４の画素回路を有し、
前記第１の画素回路は、第１のスイッチング用トランジスタ、第１の駆動用トランジスタ及び第１の発光素子を有し、
前記第２の画素回路は、第２のスイッチング用トランジスタ、第２の駆動用トランジスタ及び第２の発光素子を有し、
前記第３の画素回路は、第３のスイッチング用トランジスタを有し、
前記第４の画素回路は、第４のスイッチング用トランジスタを有し、
前記第１のスイッチング用トランジスタのゲートは、第１の走査線に電気的に接続され、
前記第１のスイッチング用トランジスタのソース又はドレインの一方は、第１のデータ信号線に電気的に接続され、
前記第１のスイッチング用トランジスタのソース又はドレインの他方は、前記第１の駆動用トランジスタのゲートに電気的に接続され、
前記第１の駆動用トランジスタのソース又はドレインの一方は、第１の電流供給線に電気的に接続され、
前記第１の駆動用トランジスタのソース又はドレインの他方は、前記第１の発光素子に電気的に接続され、
前記第２のスイッチング用トランジスタのゲートは、第２の走査線に電気的に接続され、
前記第２のスイッチング用トランジスタのソース又はドレインの一方は、第２のデータ信号線に電気的に接続され、
前記第２のスイッチング用トランジスタのソース又はドレインの他方は、前記第２の駆動用トランジスタのゲートに電気的に接続され、
前記第２の駆動用トランジスタのソース又はドレインの一方は、第２の電流供給線に電気的に接続され、
前記第２の駆動用トランジスタのソース又はドレインの他方は、前記第２の発光素子に電気的に接続され、
前記第３のスイッチング用トランジスタのゲートは、前記第１の走査線に電気的に接続され、
前記第３のスイッチング用トランジスタのソース又はドレインの一方は、一定の電位に保たれており、
前記第３のスイッチング用トランジスタのソース又はドレインの他方は、第１の検査出力端子に電気的に接続され、
前記第４のスイッチング用トランジスタのゲートは、前記第２の走査線に電気的に接続され、
前記第４のスイッチング用トランジスタのソース又はドレインの一方は、一定の電位に保たれており、
前記第４のスイッチング用トランジスタのソース又はドレインの他方は、第２の検査出力端子に電気的に接続され、
前記ゲート駆動回路は、前記第１の走査線と前記第２の走査線に電気的に接続され、
前記ゲート駆動回路から前記第１の走査線と前記第２の走査線に信号が供給され、前記第１の検査出力端子と前記第２の検査出力端子から出力される信号を測定することにより、前記第１の走査線と前記第２の走査線を検査することを特徴とする画像表示装置。
【請求項５】
請求項１または請求項２において、
前記第１のスイッチング用トランジスタ、前記第１の駆動用トランジスタ、前記第２のスイッチング用トランジスタ及び前記第２の駆動用トランジスタは、それぞれ、薄膜トランジスタであることを特徴とする画像表示装置。
【請求項６】
請求項３または請求項４において、
前記第１のスイッチング用トランジスタ、前記第１の駆動用トランジスタ、前記第２のスイッチング用トランジスタ、前記第２の駆動用トランジスタ、前記第３のスイッチング用トランジスタ及び前記第４のスイッチング用トランジスタは、それぞれ、薄膜トランジスタであることを特徴とする画像表示装置。
【請求項７】
請求項１乃至請求項６のいずれか一項において、
前記第１の画素回路は、第１の容量素子を有し、
前記第２の画素回路は、第２の容量素子を有し、
前記第１の容量素子の第１の電極は、前記第１の駆動用トランジスタのゲートに電気的に接続され、
前記第１の容量素子の第２の電極は、前記第１の駆動用トランジスタのソース又はドレインの一方に電気的に接続され、
前記第２の容量素子の第１の電極は、前記第２の駆動用トランジスタのゲートに電気的に接続され、
前記第２の容量素子の第２の電極は、前記第２の駆動用トランジスタのソース又はドレインの一方に電気的に接続されていることを特徴とする画像表示装置。
【請求項８】
請求項１乃至請求項７のいずれか一項において、
前記検査領域は、前記表示領域の外縁部に設けられていることを特徴とする画像表示装置。
【請求項９】
請求項１乃至請求項８のいずれか一項に記載の前記画像表示装置を用いた電子機器。